(57)【要約】【課題】  消費電力を低減できると共に、真に必要な時のみバックライトを点灯させる。【解決手段】  所定のキー操作があり、キーロック状態及び省電力モードにある通信装置にて、制御回路は、入力部からキー操作があることを示す信号を検出すると（Ｓ９ステップ）、ＲＡＭに格納されているキーロックフラグがオンであると判定した場合（Ｓ１０ステップ）、キーロック状態解除のための特定キーの操作を判定する（Ｓ１１ステップ）。その後、ディスプレイに暗証番号入力の為の指示画面を表示すると同時にバックライトを点灯させ、入力部の照明部については消灯を維持する（Ｓ１２ステップ）。入力された暗証番号が、予めＲＡＭに格納されている暗証番号と一致すると判定すると（Ｓ１３ステップ）、ＲＡＭに格納されているキーロックフラグをオフすることによりキーロック状態を解除すると同時に、省電力モードも解除する（Ｓ１４ステップ）。【選択図】図４
2009152679.tif 000002
【特許請求の範囲】
【請求項１】
予め定められた複数のキーの操作がされるとキーロック状態及びキー操作がされても表示部のバックライトの点灯を禁止する省電力モードになり、予め定められた暗証番号を入力されるとキーロック状態を解除する第１のキーロック機能と、
予め定められた１つのキーを所定時間連続して押下されるとキーロック状態及び省電力モードになり、当該キーロック状態で再度前記予め定められた１つのキーを所定時間連続して押下されるとキーロック状態を解除する第２のキーロック機能と、を有する通信装置であり、
前記第１のキーロック機能におけるキーロック状態で暗証番号の入力操作がされると、表示部のバックライトを一定時間点灯し、暗証番号の入力に成功するとキーロック状態及び省電力モードを解除し、一方、前記第２のキーロック機能におけるキーロック状態で前記予め定められた１つのキーの押下がされると、前記バックライトを点灯することなく、キーロック状態及び省電力モードを解除することを特徴とする通信装置。
【請求項２】
請求項１記載の通信装置であり、
省電力モード中に着信があると、前記バックライトの点灯を許可することを特徴とする通信装置。
【請求項３】
入力手段と、表示部の照明手段と、
前記入力手段から複数の所定のキー操作があるとキーロック状態及びキー操作がされても表示部の照明手段の点灯を禁止する省電力モードになり、前記入力手段から暗証番号が入力されると前記キーロック状態及び省電力モードを解除する第１のキーロック手段と、前記入力手段から所定のキーが所定時間連続して押下されると、キーロック状態及び省電力モードになり、当該キーロック状態で前記入力手段から再度前記所定のキーが所定時間連続して押下されるとキーロック状態を解除する第２のキーロック手段と、を有し、
前記第１のキーロック手段によるキーロック状態で前記入力手段から暗証番号の入力操作があると判定すると、表示部の照明手段を一定時間点灯させ、暗証番号の入力に成功するとキーロック状態及び省電力モードを解除し、一方、前記第２のキーロック手段におけるキーロック状態で前記入力手段から前記所定のキーが所定時間連続して押下されたと判定すると、前記キーロック状態及び省電力モードを解除するよう制御する制御手段と、を有することを特徴とする通信装置。
【請求項４】
請求項３記載の通信装置であり、
更に着信検出手段を有し、前記省電力モード中に前記検出着信検出手段が着信を検出したと判定すると、前記照明手段の点灯を許可することを特徴とする通信装置。
【請求項５】
入力部と、制御回路とを有し、
予め定められた１つのキーを所定時間連続して押下されるとキーロック状態及び表示部のバックライトの点灯を禁止する省電力モードになり、再度前記予め定められた１つのキーが所定時間連続して押下されるとキーロック状態を解除するキーロック機能を有する通信装置であり、
前記キーロック状態でキー操作があると、いかなるキー操作をされたとしてもバックライトを非点灯とし、前記予め定められた１つのキーが所定時間連続して押下されると、キーロック状態及び省電力モードを解除することを特徴とする通信装置。
【発明の詳細な説明】
【技術分野】
【０００１】
本発明は、所定の操作を施すことにより以降のキー操作を無効とするキーロック機能を有する通信装置に関する。
【背景技術】
【０００２】
従来の通信装置（例えば、ストレートタイプの携帯電話装置）ではキーが露出している為、携帯電話装置をポケットや鞄等に入れたままにしておくと、誤ってキーが押下されることがある。
【０００３】
これを防止するために、所定の操作があると以降のキー操作を無効にし、このキー操作無効の状態（キーロック状態）で所定の操作があるとキー操作無効の状態を解除する所謂キーロック機能を設けた携帯電話装置が製品化されている。
【０００４】
前記キーロック機能には、２種類の機能が存在する。１つめは、先ほど述べたようにストレートタイプの携帯電話装置をポケットに入れると誤ってキーが押下されるような事態を回避する為のキーロック機能であり、一時的にキーの誤操作を回避することが目的のキーロック機能である。このようなキーロック機能を実行するには、通常、予め定められたキーを所定時間（例えば２秒）以上連続して押下することにより実行することが可能であり、続いてこのキーロック状態を解除するには、再度予め定められたキーを所定時間以上連続して押下するといった簡易的な操作により解除することが可能である。
【０００５】
２つめは、ユーザが携帯電話を紛失した際に他人に携帯電話装置を使用されることを回避する為のキーロック機能である。このようなキーロック機能を実行するには、通常、予め定められたキー操作と暗証番号（例えば４桁）を入力することにより実行することが可能であり、続いて、キーロック状態を解除するには、再度予め定められたキー操作と暗証番号（例えば４桁）を入力することにより解除することが可能である。
【０００６】
又、このようなキーロック機能に関する様々な技術が提案されており、例えば、特許文献１には、暗証番号の入力の代わりにキーの押下手順を携帯電話のメモリに記憶し、記憶した手順のキー操作があるとキーロック状態にする技術が提案されている。
【特許文献１】特開２００３−２８３６４９号公報
【発明の開示】
【発明が解決しようとする課題】
【０００７】
上記特許文献１に記載の技術は、第三者にキーロック状態を解除させないようにする為の技術ではあるが、携帯電話のバッテリーの電力消費をできるだけ少なくするということについては全く考慮されていない。近年の世界のエネルギー事情を鑑みても、電力をできるだけ消費させないことは非常に重要な課題である。
【０００８】
そこで本発明では、キーロックが実行中でもバッテリーの消費電力をできるだけ少なくすることが可能であると共に、ユーザにとって必要最低限の場合にのみバッテリーの電力を消費する通信装置を提供することを目的としている。
【課題を解決するための手段】
【０００９】
請求項１記載の通信装置は、予め定められた複数のキーの操作がされるとキーロック状態及びキー操作がされても表示部のバックライトの点灯を禁止する省電力モードになり、予め定められた暗証番号を入力されるとキーロック状態を解除する第１のキーロック機能と、予め定められた１つのキーを所定時間連続して押下されるとキーロック状態及び省電力モードになり、当該キーロック状態で再度前記予め定められた１つのキーを所定時間連続して押下されるとキーロック状態を解除する第２のキーロック機能と、を有する通信装置であり、前記第１のキーロック機能におけるキーロック状態で暗証番号の入力操作がされると、表示部のバックライトを一定時間点灯し、暗証番号の入力に成功するとキーロック状態及び省電力モードを解除し、一方、前記第２のキーロック機能におけるキーロック状態で前記予め定められた１つのキーの押下がされると、前記バックライトを点灯することなく、キーロック状態及び省電力モードを解除することを特徴とする。
【００１０】
請求項２記載の通信装置は、請求項１記載の通信装置であり、省電力モード中に着信があると、前記バックライトの点灯を許可することを特徴とする。
【００１１】
請求項３記載の通信装置は、入力手段と、表示部の照明手段と、前記入力手段から複数の所定のキー操作があるとキーロック状態及びキー操作がされても表示部の照明手段の点灯を禁止する省電力モードになり、前記入力手段から暗証番号が入力されると前記キーロック状態及び省電力モードを解除する第１のキーロック手段と、前記入力手段から所定のキーが所定時間連続して押下されると、キーロック状態及び省電力モードになり、当該キーロック状態で前記入力手段から再度前記所定のキーが所定時間連続して押下されるとキーロック状態を解除する第２のキーロック手段と、を有し、前記第１のキーロック手段によるキーロック状態で前記入力手段から暗証番号の入力操作があると判定すると、表示部の照明手段を一定時間点灯させ、暗証番号の入力に成功するとキーロック状態及び省電力モードを解除し、一方、前記第２のキーロック手段におけるキーロック状態で前記入力手段から前記所定のキーが所定時間連続して押下されたと判定すると、前記キーロック状態及び省電力モードを解除するよう制御する制御手段と、を有することを特徴とする。
【００１２】
請求項４記載の通信装置は、請求項３記載の通信装置であり、更に着信検出手段を有し、前記省電力モード中に前記検出着信検出手段が着信を検出したと判定すると、前記照明手段の点灯を許可することを特徴とする。
【００１３】
請求項５記載の通信装置は、入力部と、制御回路とを有し、予め定められた１つのキーを所定時間連続して押下されるとキーロック状態及び表示部のバックライトの点灯を禁止する省電力モードになり、再度前記予め定められた１つのキーが所定時間連続して押下されるとキーロック状態を解除するキーロック機能を有する通信装置であり、前記キーロック状態でキー操作があると、いかなるキー操作をされたとしてもバックライトを非点灯とし、前記予め定められた１つのキーが所定時間連続して押下されると、キーロック状態及び省電力モードを解除することを特徴とする。
【発明の効果】
【００１４】
請求項１、３に記載の通信装置によると、キーロック状態でもバッテリーの消費電力をできるだけ少なくすることが可能であると共に、ユーザにとって必要最低限の場合にのみバッテリーの電力を消費することが可能であり、更に、請求項２、４に記載の通信装置では、着信があるとバックライトが点灯するため、省電力モード中でも誰からの着信であるかをユーザが容易に認識することができる。
【００１５】
又、請求項５に記載の通信装置では、キーロック状態でキー操作があっても、表示部のバックライトを点灯させないようにすることにより消費電力を極力抑えることが出来る。
【実施例】
【００１６】
図１は、本発明の一実施例にかかる携帯電話装置の斜視図である。本体１と蓋体２とがヒンジ機構により開閉自在になっている。この携帯電話装置を使用する際に、ユーザは蓋体２を開いてから、所定の操作を施すことにより携帯電話装置をキーロック状態にすると共に省電力モードとすることができる。
【００１７】
尚、本実施例装置は２種類のキーロック機能を実行可能である。１つめは、予め定められた暗証番号を入力することにより装置をキーロック状態にし、再度予め定められた暗証番号を入力することによりキーロック状態を解除する、暗証番号の入力によりオンオフ可能なキーロック機能（以降、キーロック機能Ａと称す）であり、２つめは、予め定められたキーを所定時間（例えば２秒）以上連続押下することにより装置をキーロック状態にし、再度予め定められたキーを所定時間以上連続押下することにより装置のキーロック状態を解除する機能（以降、キーロック機能Ｂと称す）である。
【００１８】
又、本実施例装置では、キーロック状態になると同時に省電力モードに移行する。この省電力モードは、ディスプレイ６０のバックライト６１や入力部４０の照明部４５を消灯させたままにするモードであり、この省電力モード中にキー操作があっても、少なくともバックライト６１や照明部４５の消灯は維持される。
【００１９】
更に、本実施例装置では、キーロック機能Ａが実行されている状態（キーロック状態Ａ）でキーロック解除の為の操作（例えば、暗証番号の入力等）が施される際には、一時的に省電力モードを解除し、ディスプレイ６０のバックライト６１を点灯させる構成となっており、このように、キーロック状態Ａでは、キーロック解除の為の操作をする時だけでバックライト６１を点灯させる為、どのような暗証番号が入力されたかをユーザが認識することができる。
【００２０】
一方、キーロック機能Ｂの状態（キーロック状態Ｂ）で、ユーザが所定のキーを連続して押下することによりキーロック状態の解除がなされる為、ユーザがどのような番号が入力されたかを確認する必要性がない。このような理由から、キーロック状態Ｂの解除の操作が施されてもバックライト６１の消灯は維持される。
【００２１】
このように、本実施例装置では、キーロック状態になると共に省電力モードになる為に、電池の消耗をできるだけ抑えることができる。更に、暗証番号の入力等、ユーザが入力されたものを確認する必要がある時のみバックライト６１を点灯させる為、ユーザにとって、真に必要なときだけバックライト６１を点灯させることができる。
【００２２】
図２は、本発明の一実施例に関わる携帯通信装置の概略構成を示すブロック図である。図２に示しているように、携帯通信装置の制御回路３０はベースバンド部１０、通信部１３、入力部４０と接続されている。制御回路３０には、ＲＯＭ３１，ＲＡＭ３２が接続されており、ＲＯＭ３１には、制御回路３０を動作させるためのシステムプログラムが格納され、ＲＡＭ３２は、制御回路３０の動作に必要な各種情報が記憶される。尚、ＲＡＭ３２には、キーロック状態Ａであるか否かを示すフラグであるキーロックフラグＡと、キーロック状態Ｂであるか否かを示すフラグであるキーロックフラグＢと、が格納されている。
【００２３】
ベースバンド部１０は、ＣＤＭＡ処理回路１１と、音声コーデック１２と、を有している。ここで、ＣＤＭＡ処理回路１１は、符号分割多元接続、スクランブル、誤り制御、タイミング検出を行う。また、音声コーデック１２は、音声を圧縮（符号化）、伸張（復号化）したり、アナログとデジタルの変換を行ったり、内部の増幅回路（図示省略）により受話音量やマイクロホンの感度を変更する。
【００２４】
通信部１３は、後述のベースバンド部１０と接続されており、ベースバンド部１０からの信号を、アンテナ１４を介して基地局へ発信し、あるいはアンテナ１４を介して基地局からの電波を受信する。
【００２５】
制御回路３０には、入力部４０が接続されている。入力部４０は、電話番号等の入力を行うテンキー４１と、通話の開始を操作する通話キー４２と、通話の終了を操作する切キー４３と、ＯＫキー４４を有している。
【００２６】
また制御回路３０には、例えばＬＣＤ（Ｌｉｑｕｉｄ  Ｃｒｙｓｔａｌ  Ｄｉｓｐｌａｙ）からなるディスプレイ６０と、当該ＬＣＤに光を照射するバックライト６１が接続され、又、入力部４０に光を照射する例えばＬＥＤ（Ｌｉｇｈｔ  Ｅｍｉｔｔｉｎｇ  Ｄｉｏｄｅ）からなる照明部４５が接続されている。
【００２７】
次に本実施例装置の動作について以下に説明する。図３、図４は本実施例装置の動作を示すフロー図である。
【００２８】
図３は、本実施例装置の動作を示すフロー図である。図３のＳ１ステップにおいて制御回路３０は、入力部４０からキーの操作を検出すると、Ｓ２ステップへ処理を進める。
【００２９】
Ｓ２ステップにおいて、制御回路４０は、前記Ｓ１ステップで検出したキー操作が、装置をキーロック状態Ａにする為の指示操作（例えば、所定のキーを押下した後に予め定められた４桁の暗証番号を入力する操作）であると判定すると、Ｓ３ステップへ処理を進め、そうでなければ、Ｓ５ステップへ処理を進める。
【００３０】
Ｓ３ステップにおいて、制御回路３０は、ＲＡＭ３２に格納されているキーロックフラグＡをオンし、Ｓ４ステップへ処理を進める。
【００３１】
Ｓ４ステップにおいて、制御回路３０は装置を省電力モードにする。例えば、バックライト６１を消灯させると共に照明部４５を消灯させ、以降の操作（キーロック状態Ａの解除操作以外のキー操作）が入力部４０から検出されても、この消灯を維持する。ただし、キーロック状態Ａが起動中に特定キーが操作された場合には、所定時間だけ省電力モードを解除する。尚、着信がある際には、バックライト６１や照明部４５を点灯させても良い。続いて、制御回路３０は、図４のＳ９ステップへ処理を進める。
【００３２】
Ｓ５ステップにおいて、制御回路３０は、前記Ｓ１ステップで検出したキー操作が、装置をキーロック状態Ｂにする為の操作（例えば、ＯＫキー４４を所定時間（例えば２秒）以上連続押下する）であると判定すると、Ｓ６ステップへ処理を進め、そうでなければ、Ｓ８ステップへ処理を進める。
【００３３】
Ｓ６ステップにおいて、制御回路３０は、ＲＡＭ３２に格納されているキーロックフラグＢをオンし、Ｓ７ステップへ処理を進める。
【００３４】
Ｓ７ステップにおいて、制御回路３０は装置を省電力モードにする。例えば、バックライト６１を消灯させると共に照明部４５を消灯させ、以降の操作が入力部４０から検出されても、この消灯を維持する。尚、着信がある際には、バックライト６１や照明部４５を点灯させても良い。続いて、制御回路３０は、図４のＳ９ステップに処理を進める。
【００３５】
Ｓ８ステップにおいて、制御回路３０は、キーロック状態をオンする操作を除いた、前記Ｓ１ステップにおけるキー操作に対応した機能を実行し、Ｓ１ステップへ処理を戻す。
【００３６】
続いて、図４のＳ９ステップにおいて、制御回路３０は、入力部４０からキー操作があることを示す信号を検出すると、Ｓ１０ステップへ処理を進める。
【００３７】
Ｓ１０ステップでは、制御回路３０は、ＲＡＭ３２に格納されているキーロックフラグＡがオンであると判定すると、Ｓ１１ステップへ処理を進め、そうでなければ、Ｓ１７ステップへ処理を進める。
【００３８】
Ｓ１１ステップでは、制御回路３０は、前記Ｓ９ステップで検出したキー操作が、キーロック状態Ａの解除のための暗証番号の入力開始を指示する特定キーの操作であると判定すると、Ｓ１２ステップへ処理を進め、そうでなければＳ１７ステップへ処理を進める。
【００３９】
Ｓ１２ステップでは、制御回路３０は、暗証番号の入力を指示する画面を表示するようにディスプレイ６０を制御する。また同時にディスプレイ６０のバックライト６１を点灯させると共に入力部４０の照明部４５の消灯を維持し、Ｓ１３ステップへ処理を進める。
【００４０】
Ｓ１３ステップでは、制御回路３０は、入力された暗証番号が、予めＲＡＭ３２に格納されている暗証番号と一致すると判定すると、Ｓ１４ステップへ処理を進め、そうでなければ、Ｓ１５ステップへ処理を進める。
【００４１】
Ｓ１４ステップでは、制御回路３０は、ＲＡＭ３２に格納されているキーロックフラグＡをオフすることによりキーロック状態Ａを解除し、図３のＳ１ステップへ処理を戻す。尚、ここでキーロック状態Ａを解除すると同時に省電力モードも解除される。以降、キー操作に応じて、バックライト６１を所定時間点灯する。
【００４２】
Ｓ１５ステップでは、制御回路３０は、ディスプレイ６０へ暗証番号の入力を指示する画面を表示するように制御された状態で、Ｓ１３ステップにて暗証番号の一致が検出されないまま所定時間が経過していれば、Ｓ１６ステップへ処理を進める。所定時間経過していなければ、Ｓ１３ステップへ処理を戻す。
【００４３】
Ｓ１６ステップでは、制御回路３０は、ディスプレイ６０へ暗証番号の入力を指示する画面を消去して、続けて所定時間だけエラー表示を行う（例えば、暗証番号が違います、というメッセージを表示する）。さらに制御回路３０は、エラー表示終了後、ディスプレイ６０のバックライト６１を消灯し、Ｓ９ステップへ処理を戻す。
【００４４】
Ｓ１７ステップでは、制御回路３０は、ＲＡＭ３２に格納されているキーロックフラグＢがオンであると判定すると、Ｓ１８ステップへ処理を進め、そうでなければ、Ｓ２１ステップへ処理を進める。
【００４５】
Ｓ１８ステップにおいて、制御回路３０は、前記Ｓ９ステップで検出したキー操作が、キーロック状態Ｂを解除する為の操作（例えば、ＯＫキー４４を所定時間（例えば２秒）以上連続押下する）であると判定すると、Ｓ１９ステップへ処理を進め、そうでなければ、Ｓ２１ステップへ処理を進める。
【００４６】
Ｓ１９ステップでは、制御回路３０は、ＲＡＭ３２に格納されているキーロックフラグＢをオフすることによりキーロック状態Ｂを解除し、図３のＳ１ステップへ処理を戻す。尚、ここでキーロック状態Ｂを解除すると同時に省電力モードも解除され、以降は、キー操作に応じてバックライト６１を所定時間点灯する。
【００４７】
Ｓ２０ステップでは、前記Ｓ９ステップで操作されたキーに対応する機能を実行し、Ｓ９ステップへ処理を戻す。
【００４８】
Ｓ２１ステップでは、ディスプレイ６０に、キーロック状態Ｂであることを示すメッセージを表示し、その表示をクリアし、Ｓ９ステップに処理を戻す。
【００４９】
以上説明したように、本実施例装置では、キーロック状態になると同時に省電力モードに移行する。この省電力モードは、ディスプレイ６０のバックライト６１や入力部４０の照明部４５を消灯させたままにするモードであり、この省電力モード中にキー操作があっても、バックライト６１や照明部４５の消灯は維持される。
【００５０】
更に、本実施例装置では、キーロック状態Ａでキーロック解除の為の操作（例えば、暗証番号の入力等）が施されると、ディスプレイ６０のバックライト６１を点灯させる構成となっており、このように、キーロック解除の為の操作をする時だけバックライト６１を点灯させる為、どのような暗証番号が入力されたかをユーザが認識することができる。
【００５１】
一方、キーロック状態Ｂで、ユーザが所定のキーを連続して押下することによりキーロック状態Ｂの解除がなされる為、ユーザがどのような番号が入力されたかを確認する必要性がない。このような理由から、キーロック状態Ｂの解除の操作が施されてもバックライト６１の消灯は維持される。
【００５２】
このように、本実施例装置では、キーロック状態になると共に省電力モードになる為に、電池の消耗をできるだけ抑えることができる。更に、暗証番号の入力等、ユーザが入力されたものを確認する時のみバックライト６１を点灯させる為、ユーザにとって、真に必要なときだけバックライト６１を点灯させることができる。
【００５３】
尚、本実施例では、キーロック状態で省電力モードとなったが、キーロック状態で着信があると、その際にはディスプレイ６０のバックライト６１や、入力部４０の照明部４５を点灯させる構成にしても良い。このような構成とすることにより、だれからの着信であるかをユーザが知ることができる。
【００５４】
又、本実施例では、Ｓ１２ステップにおいてディスプレイ６０のバックライト６１のみ点灯させる構成としたが、バックライト６１を点灯させると共に入力部４０の照明部４５も同時に点灯させて、Ｓ１９ステップにおいて入力部４０の照明部４５を点灯しない構成としても良い。
【図面の簡単な説明】
【００５５】
【図１】本発明の一実施例にかかる通信装置の斜視図である。
【図２】本発明の一実施例にかかる通信装置のブロック図である。
【図３】本実施例装置の動作を示すフロー図である。
【図４】本実施例装置の動作を示すフロー図である。
【符号の説明】
【００５６】
１・・・・本体
２・・・・蓋体
１０・・・ベースバンド部
１１・・・ＣＤＭＡ処理回路
１２・・・音声コーデック
１３・・・通信部
１４・・・アンテナ
３０・・・制御回路
３１・・・ＲＯＭ
３２・・・ＲＡＭ
４０・・・入力部
４１・・・テンキー
４２・・・通話キー
４３・・・切キー
４４・・・ＯＫキー
４５・・・照明部
６０・・・ディスプレイ
６１・・・バックライト
【図１】
2009152679.tif 000003
【図２】
2009152679.tif 000004
【図３】
2009152679.tif 000005
【図４】
2009152679.tif 000006